(57)【要約】      （修正有）【課題】ガイド孔を介して温風を導くことができ、ブラシ本体を収容空間に収容することができ、更に、速乾性、便利性、包み覆い性や保護性などの効果を図ることができるヘアブラシセット構造を提供する。【解決手段】ブラシ本体とブラシケースとを含むヘアブラシセット構造であって、ブラシ本体２は、複数のガイド孔２６が形成された第１の側面２１と第２の側面２２とを備える。ブラシ本体の両側には、それぞれ、ブラシケース３と互いに組み立てるためのリブ２８が形成され、ブラシケースの内壁には、リブに係合するための少なくとも一つのレール３２が形成されている。レールの一端にはガイド部３２１が形成され、他端にはストッパ部３２２が形成されている。【選択図】図２
0003229123.tif 000002
【実用新案登録請求の範囲】
【請求項１】
第１の側面と第２の側面とを有すると共に、両側にリブがそれぞれ形成されるブラシ本体と、
内部に前記ブラシ本体を配置するための収容空間が形成されているブラシケースと、を含むヘアブラシセット構造において、
前記第１の側面と前記第２の側面との間には、複数のガイド孔が形成されており、
前記収容空間の内壁には、リブに係合するレールが少なくとも一つ形成されており、
前記レールの両端には、ガイド部及びストッパ部がそれぞれ形成されている、
ことを特徴とするヘアブラシセット構造。
【請求項２】
前記第１の側面には、複数のピンの列がさらに設けられている、ことを特徴とする請求項１に記載のヘアブラシセット構造。
【請求項３】
前記ブラシ本体の底部には、グリップ部が形成されている、ことを特徴とする請求項１記載のヘアブラシセット構造。
【請求項４】
前記グリップ部には把持部が形成されており、
前記把持部の幅及び厚さは、それぞれ、前記グリップ部の幅及び厚さよりも大きい、ことを特徴とする請求項１に記載のヘアブラシセット構造。
【請求項５】
前記ブラシ本体には、複数の接続バー部と複数の接続リング部とが形成されており、
前記接続バー部と前記接続リング部との間には、前記ガイド孔が形成されている、ことを特徴とする請求項１に記載のヘアブラシセット構造。
【請求項６】
前記ブラシ本体は弧状体である、ことを特徴とする請求項１に記載のヘアブラシセット構造。
【請求項７】
前記ブラシケースには、前記収容空間に連通された通風孔が形成されている、ことを特徴とする請求項１に記載のヘアブラシセット構造。
【請求項８】
前記ブラシケースの底部には、開口部が形成されており、
前記ブラシ本体は、前記開口部を介して前記収容空間内に配置され、かつ、前記リブで前記レールに組み立てられている、ことを特徴とする請求項１に記載のヘアブラシセット構造。
【請求項９】
前記ガイド部は、前記開口部と隣接に前記ブラシカバーの内壁に形成されており、
前記ストッパ部は、前記開口部から離れて前記ブラシカバーの内壁に形成されている、ことを特徴とする請求項８に記載のヘアブラシセット構造。
【請求項１０】
前記把持部には滑り止めが設けられている、ことを特徴とする請求項４に記載のヘアブラシセット構造。
【考案の詳細な説明】
【技術分野】
【０００１】
本考案は、ヘアブラシセットに関し、特に、ブラシ本体で温風を導くことや、ブラシ本体とブラシケースとを素早く位置決めして組み立てることにより、速く乾かすことができる速乾性の他、カバーで保護しやすい保護性を持つヘアブラシセット構造に関するものである。
【背景技術】
【０００２】
従来では、市場におけるブラシは、様々な種類がある。使用者は、ニーズに応じて、ヘアブラシ、ロールブラシ、櫛、豚毛ブラシ、造形ブラシなど、異なる種類のヘアブラシを使用している。一応、その目的はいずれも髪を梳かすことにある。多くの人々は、髪を乾かすと共に、ヘアブラシとドライヤーで髪をふわふわパーマに見せるようにも使われている。
しかし、従来のヘアブラシは、主に、複数のピンの列が設けられたブラシ本体を有している。一般に、髪を梳かす際に、梳かす位置に温風をドライヤーで吹きたいが、従来のヘアブラシを使用すると、ドライヤーからの温風が逆にヘアブラシの構造によって毛根に吹き込まれなく遮断され、温風を毛根まで吹くことができず、毛根の乾かしやふわふわパーマの感覚ができなくなるなどの問題が生じる。
さらに、従来のブラシ本体が使用されていない場合、当該のブラシ本体におけるピンの列が露出するため、ピンの列の間にほこりや異物が入りやすいという問題がある。
【０００３】
そこで、どうやって上記のような欠点を改善できるかが、本考案者が解決しようとする技術的な難点である。
【考案の概要】
【０００４】
これに鑑みて、上記の問題を効果的に解決するために、本考案の主な目的は、ブラシ本体で温風を導くことや、ブラシ本体とブラシケースとを素早く位置決めして組み立てることにより、速く乾かすことができる速乾性の他、カバーで保護しやすい保護性を持つヘアブラシセット構造を提供することにある。
【０００５】
本発明の他の目的は、ユーザが把持して使用するのに便利なヘアブラシセット構造を提供することにある。
【０００６】
上記の目的を達成するため、本考案は、ブラシ本体と、ブラシケースとを含むヘアブラシセット構造であって、前記ブラシ本体の両側面には第１の側面と第２の側面とがそれぞれ形成されおり、前記ブラシ本体には複数のガイド孔が形成されており、これらのガイド孔は、前記第１の側面と前記第２の側面との間に形成されており、さらに、前記ブラシ本体の両側にはリブがそれぞれ形成されており、また、前記ブラシケースは前記ブラシ本体とは互いに組み立てられて、前記ブラシケースの内部には収容空間が形成されており、前記収容空間は前記ブラシ本体を収容し組み立てるために用いられ、前記ブラシケースは、前記収容空間の内壁にレールが少なくとも一つ形成されており、前記レールの一端にはガイド部が形成されており、他端にはストッパ部が形成されており、前記レールは、前記リブに係合するヘアブラシセット構造を提供する。このことにより、前記ガイド孔を介して温風を導くことができ、リブとレールとの組み合わせにより、前記ブラシ本体を前記収容空間に収容することができ、速く乾かすことが可能になると共に、カバーで保護しやすい効果を達成する。さらに、ハンドル部には、ユーザが自分の把持方を理解可能のように把持便利な効果を持つ把持部が形成されている。
【０００７】
本考案に係るヘアブラシセット構造の一実施例によれば、前記第１の側面に複数のピンの列がさらに設けられている。
【０００８】
本考案に係るヘアブラシセット構造の一実施例によれば、前記ブラシ本体の底部にはグリップ部が形成されている。
【０００９】
本考案に係るヘアブラシセット構造の一実施例によれば、前記グリップ部には把持部が形成されており、前記把持部の幅及び厚さは、それぞれ、前記グリップ部の幅及び厚さよりも大きい。
【００１０】
本考案に係るヘアブラシセット構造の一実施例によれば、前記ブラシ本体には複数の接続バー部と複数の接続リング部とが形成されており、前記接続バー部と前記接続リング部との間には前記ガイド孔が形成されている。
【００１１】
本考案に係るヘアブラシセット構造の一実施例によれば、前記ブラシ本体は弧状体である。
【００１２】
本考案に係るヘアブラシセット構造の一実施例によれば、前記ブラシケースには前記収容空間に連通された通風孔が形成されている。
【００１３】
本考案に係るヘアブラシセット構造の一実施例によれば、前記ブラシケースの底部には開口部が形成されており、前記ブラシ本体は、前記開口部を通すことで前記収容空間内に配置されており、前記リブによって前記レールに組み立てられている。
【００１４】
本考案に係るヘアブラシセット構造の一実施例によれば、前記ガイド部は、前記開口部と隣接に前記ブラシカバーの内壁に形成されており、前記ストッパ部は、前記開口部から離れて前記ブラシカバーの内壁に形成されている。
【００１５】
本考案に係るヘアブラシセット構造の一実施例によれば、前記把持部には滑り止めが設けられている。
【図面の簡単な説明】
【００１６】
【図１】本考案の好ましい実施例を示す組立斜視図である。
【図２】本発明の好ましい実施例のブラシケースを示す分解斜視図である。
【図３】本考案の好ましい実施例を示す側面組立斜視図である。
【図４】本考案の好ましい実施例のブラシ本体を他の視点で示す斜視図である。
【図５】本考案の好ましい実施例を示す概略図一である。
【図６】本考案の好ましい実施例を示す概略図二である。
【図７】本考案の好ましい実施例を示す概略図三である。
【考案を実施するための形態】
【００１７】
以下に、本考案の上記目的とその構造及び機能的特徴を、添付図面に合わせ好ましい実施例に従って説明する。
【００１８】
図１から図４は、本考案のヘアブラシセット構造の組立斜視図、ブラシケースの分解斜視図、側面組立斜視図、及びブラシ本体の他の視点からの斜視図である。図１から図４を参照し、ヘアブラシセット構造１は、ブラシ本体２とブラシケース３とを含むことが分かる。
【００１９】
ここで、ブラシ本体２は弧状体であり、その両側面に第１の側面２１と第２の側面２２とがそれぞれ形成されており、第１の側面２１には複数のピンの列２３が設けられている。
また、ブラシ本体２には、複数の接続バー部２４と複数の接続リング部２５とが形成され、接続バー部２４と複数の接続リング部２５との間に複数のガイド孔２６が形成され、ガイド孔２６は、第１の側面２１と第２の側面２２とを連通する。
さらに、ブラシ本体２の底部にグリップ部２７が形成され、グリップ部２７に把持部２７１が形成されている。把持部２７１の幅及び厚さは、それぞれ、グリップ部２７の幅及び厚さよりも大きい。
また、把持部２７１には滑り止め２７２が設けられており、ブラシ本体２の両側にはリブ２８が形成されている。
【００２０】
また、ブラシケース３の内部には収容空間３１が形成されており、収容空間３１内にはブラシ本体２が収容されており、ブラシケース３は、収容空間３１の内壁にレール３２が少なくとも１本形成され、レール３２の両端にはガイド部３２１とストッパ部３２２がそれぞれ形成されている。
また、ブラシケース３の側面には通風孔３３が形成され、通風孔３３は収容空間３１に連通されている。ブラシケース３の底部には開口部３４が形成されており、開口部３４は収容空間３１に連通している。ガイド部３２１は、開口部３４と隣接にブラシカバーの内壁に形成されている。
また、ストッパ部３２２は、開口部３４から離れてブラシカバーの内壁に形成されている。
【００２１】
さらに、上記の図面及び図５から図７も同時に参照し、これらは、ヘアブラシセット構造の実施例を示す概略図一から図三である。ユーザがブラシ本体２を使用するとき、４本の指で把持部２７１を把持すればよい。把持部２７１は、ユーザが人間工学に相応しい形及び適正な方向でグリップ部２７を把持することができるように、わずかに湾曲した形状を呈し、滑り止め２７２は、ユーザの手と把持部２７１との把持力を効果的に改善し、力によるブラシ本体２が落下する恐れを低減することができる。
さらに、ブラシ本体２は、ドライヤー４と合わせて使用することができ、ユーザがピンの列２３を毛根に向けて梳かすと、第１の側面２１が毛根に隣接し、ドライヤー４の温風がガイド孔２６から入り、ガイド孔２６を通過した後第１の側面２１及びピンの列２３まで温風を効果的に導き、快速に乾かす効果を達成することができる。
【００２２】
また、ブラシ本体２を使用終了した後、ブラシ本体２をブラシケース３と互いに組み付けることができ、ブラシ本体２が開口部３４を通し、ブラシ本体２のリブ２８をレール３２のガイド部３２１に係合させ、リブ２８がガイド部３２１に接するとブラシ本体２を収容空間３１内の方向に押し込み、ブラシ本体２がリブ２８を介してレール３２に沿って収容空間３１に滑り込み、リブ２８がストッパ部３２２までに移動すると、リブ２８がストッパ部３２２により規制され、ブラシ本体２も完全に収容空間３１内に入って収容空間３１に収容される。
また、ブラシケース３とブラシ本体２とを互いに分離させたい場合、グリップ部２７を把持して、ブラシ本体２を収容空間３１から外へ移動させ、リブ２８をストッパ部３２２から離させ、レール３２に沿ってガイド部３２１までに移動することにより、ブラシ本体２を収容空間３１から離させ、開口部３４から取り出すことができる。
【００２３】
このようにして、ヘアブラシセット構造１のブラシ本体２は、ガイド孔２６を介してドライヤー４の温風を導くことができ、さらに、ブラシケース３は、ブラシ本体２を直接覆うことができることにより、速く乾かすことができる外、カバーで保護しやすい効果を実現することができる。また、ブラシ本体２が収容空間３１に配置されるとき、ピンの列２３も通風孔を介して通風の効果が得られる。
【００２４】
以上に、本考案を詳細に説明したが、これは本考案の好ましい一実施例にすぎず、本考案の実施範囲を限定するものではなく、本考案の請求範囲に従って作成された同等な変更や補正は、本考案の特許の請求範囲に含まれるべきである。
【符号の説明】
【００２５】
１          ヘアブラシセット構造
２          ブラシ本体
２１        第１の側面
２２        第２の側面
２３        ピンの列
２４        接続バー部
２５        接続リング部
２６        ガイド孔
２７        グリップ部
２７１      把持部
２７２      滑り止め
２８        リブ
３          ブラシケース
３１        収容空間
３２        レール
３２１      ガイド部
３２２      ストッパ部
３３        通風孔
３４        開口部
４          ドライヤー
【図１】
0003229123.tif 000003
【図２】
0003229123.tif 000004
【図３】
0003229123.tif 000005
【図４】
0003229123.tif 000006
【図５】
0003229123.tif 000007
【図６】
0003229123.tif 000008
【図７】
0003229123.tif 000009
【手続補正書】
【提出日】令和2年8月27日(2020.8.27)
【手続補正１】
【補正対象書類名】実用新案登録請求の範囲
【補正対象項目名】全文
【補正方法】変更
【補正の内容】
【実用新案登録請求の範囲】
【請求項１】
第１の側面と第２の側面とを有すると共に、両側にリブがそれぞれ形成されるブラシ本体と、
内部に前記ブラシ本体を配置するための収容空間が形成されているブラシケースと、を含むヘアブラシセット構造において、
前記第１の側面と前記第２の側面との間には、複数のガイド孔が形成されており、
前記収容空間の内壁には、リブに係合するレールが少なくとも一つ形成されており、
前記レールの両端には、ガイド部及びストッパ部がそれぞれ形成されている、
ことを特徴とするヘアブラシセット構造。
【請求項２】
前記第１の側面には、複数のピンの列がさらに設けられている、ことを特徴とする請求項１に記載のヘアブラシセット構造。
【請求項３】
前記ブラシ本体の底部には、グリップ部が形成されている、ことを特徴とする請求項１記載のヘアブラシセット構造。
【請求項４】
前記グリップ部には把持部が形成されており、
前記把持部の幅及び厚さは、それぞれ、前記グリップ部の幅及び厚さよりも大きい、ことを特徴とする請求項３に記載のヘアブラシセット構造。
【請求項５】
前記ブラシ本体には、複数の接続バー部と複数の接続リング部とが形成されており、
前記接続バー部と前記接続リング部との間には、前記ガイド孔が形成されている、ことを特徴とする請求項１に記載のヘアブラシセット構造。
【請求項６】
前記ブラシ本体は弧状体である、ことを特徴とする請求項１に記載のヘアブラシセット構造。
【請求項７】
前記ブラシケースには、前記収容空間に連通された通風孔が形成されている、ことを特徴とする請求項１に記載のヘアブラシセット構造。
【請求項８】
前記ブラシケースの底部には、開口部が形成されており、
前記ブラシ本体は、前記開口部を介して前記収容空間内に配置され、かつ、前記リブで前記レールに組み立てられている、ことを特徴とする請求項１に記載のヘアブラシセット構造。
【請求項９】
前記ガイド部は、前記開口部と隣接に前記ブラシケースの内壁に形成されており、
前記ストッパ部は、前記開口部から離れて前記ブラシケースの内壁に形成されている、ことを特徴とする請求項８に記載のヘアブラシセット構造。
【請求項１０】
前記把持部には滑り止めが設けられている、ことを特徴とする請求項４に記載のヘアブラシセット構造。